(57)【要約】  本発明は、リソース指示方法、基地局と端末を開示する。該方法は、基地局がリソース指示チャネルを生成し、前記リソース指示チャネルが第一の時間周波数リソースと前記第一の時間周波数リソースを使用する場合の通信パラメータを示すことに用いられ、前記リソース指示チャネルが第二の時間周波数リソースを占有し、少なくとも一つの前記リソース指示チャネルに対応する少なくとも一つの第一の時間周波数リソースがセルを構成することと、前記基地局が端末へ前記リソース指示チャネルを送信することとを含む。本発明の実施例における方法により、リソース割り当て及び指示の柔軟性を向上させることができ、無線通信システムの性能と適用性を高めることができる。
2018537873.tif 000002
【特許請求の範囲】
【請求項１】
リソース指示方法であって、
基地局がリソース指示チャネルを生成し、前記リソース指示チャネルが第一の時間周波数リソースと前記第一の時間周波数リソースを使用する場合の通信パラメータを示すことに用いられ、前記リソース指示チャネルが第二の時間周波数リソースを占有し、少なくとも一つの前記リソース指示チャネルに対応する少なくとも一つの第一の時間周波数リソースがセルを構成することと、
前記基地局が端末へ前記リソース指示チャネルを送信することとを含む、前記リソース指示方法。
【請求項２】
前記第二の時間周波数リソースに占有された時間周波数範囲は前記第一の時間周波数リソースに占有された時間周波数範囲内にあることを特徴とする
請求項１に記載の方法。
【請求項３】
前記第二の時間周波数リソースは少なくとも一つの時間周波数ユニットを含み、前記少なくとも一つの時間周波数ユニットのうちの第一の時間周波数ユニットに対応する時間範囲がシステムによって設定された時間であり、前記第一の時間周波数ユニットに対応する周波数範囲がシステムによって設定された周波数ラスタであり、前記第二の時間周波数リソースが複数の時間周波数ユニットを含む場合、前記第一の時間周波数ユニットは、前記リソース指示チャネルが前記第二の時間周波数リソースを拡張して占有することを示すための情報を含むことを特徴とする
請求項１又は２に記載の方法。
【請求項４】
前記通信パラメータは、前記第一の時間周波数リソースのための多元接続技術、前記第一の時間周波数リソースのための複信モード、前記第一の時間周波数リソースのための通信モード、前記第一の時間周波数リソースのための多元接続技術に対応する基本物理層パラメータのうちの少なくとも一つを含むことを特徴とする
請求項１〜３のいずれか１項に記載の方法。
【請求項５】
前記通信パラメータはセル識別子ＩＤを含むことを特徴とする
請求項１〜４のいずれか１項に記載の方法。
【請求項６】
前記通信パラメータは、前記第一の時間周波数リソースに含まれる制御チャネル情報を含むことを特徴とする
請求項１〜５のいずれか１項に記載の方法。
【請求項７】
前記制御チャネル情報は、ブロードキャストチャネルＢＣＨ情報、マスター情報ブロックＭＩＢ情報、ページングチャネルＰＣＨ、ダウンリンク共通制御チャネル情報、ダウンリンク専用制御チャネル情報、自己完結型モード情報、アップリンクランダムアクセスチャネル情報とアップリンク制御チャネル情報のうちの少なくとも一つを含むことを特徴とする
請求項６に記載の方法。
【請求項８】
前記リソース指示チャネルは特徴シーケンスを含み、前記特徴シーケンスは現在のチャネルがリソース指示チャネルであることを示すことに用いられることを特徴とする
請求項１〜７のいずれか１項に記載の方法。
【請求項９】
前記特徴シーケンスはさらに前記基地局と前記端末との同期に用いられることを特徴とする
請求項８に記載の方法。
【請求項１０】
前記基地局が端末へ前記リソース指示チャネルを送信することは、
前記基地局がシステムによって予め設定された変調方式を使用して前記リソース指示チャネルを変調した後、前記端末へ前記リソース指示チャネルを送信することを含むことを特徴とする
請求項１〜９のいずれか１項に記載の方法。
【請求項１１】
前記基地局が端末へ前記リソース指示チャネルを送信することは、
前記基地局が前記リソース指示チャネルに対してマルチアンテナ送信ダイバーシティを行った後、前記端末へ前記リソース指示チャネルを送信することを含むことを特徴とする
請求項１〜１０のいずれか１項に記載の方法。
【請求項１２】
前記基地局が端末へ前記リソース指示チャネルを送信することは、
前記基地局がシングルキャリア方式を使用して前記端末へ前記リソース指示チャネルを送信することを含むことを特徴とする
請求項１〜１１のいずれか１項に記載の方法。
【請求項１３】
前記リソース指示チャネルは、前記リソース指示チャネルが前記セルの最後のリソース指示チャネルであることを示すための情報を含むことを特徴とする
請求項１〜１２のいずれか１項に記載の方法。
【請求項１４】
前記リソース指示チャネルは、前記セルにおける次のリソース指示チャネルを示すための時間範囲と周波数範囲を含むことを特徴とする
請求項１〜１２のいずれか１項に記載の方法。
【請求項１５】
前記セルは、複数のリソース指示チャネルに対応する複数の第一の時間周波数リソースを含み、前記複数の第一の時間周波数リソースに対応する時間範囲及び／又は周波数範囲が完全に同じではないことを特徴とする
請求項１〜１４のいずれか１項に記載の方法。
【請求項１６】
前記リソース指示チャネルは、前記第一の時間周波数リソースが使用されないことを示すことに用いられることを特徴とする
請求項１〜１５のいずれか１項に記載の方法。
【請求項１７】
前記基地局が端末へ前記リソース指示チャネルを送信する前に、前記方法は、
前記基地局が前記リソース指示チャネルにガードバンドを設定することをさらに含むことを特徴とする
請求項１〜１６のいずれか１項に記載の方法。
【請求項１８】
リソース指示方法であって、
端末が基地局から送信されたリソース指示チャネルを受信し、前記リソース指示チャネルが第一の時間周波数リソースと前記第一の時間周波数リソースを使用する場合の通信パラメータを示すことに用いられ、前記リソース指示チャネルが第二の時間周波数リソースを占有し、少なくとも一つの前記リソース指示チャネルに対応する少なくとも一つの時間周波数リソースがセルを構成することと、
前記端末が前記リソース指示チャネルに基づき、第一の時間周波数リソースと前記第一の時間周波数リソースを使用する場合の通信パラメータを確定することとを含む、前記リソース指示方法。
【請求項１９】
前記第二の時間周波数リソースに占有された時間周波数範囲は第一の時間周波数リソースに占有された時間周波数範囲にあることを特徴とする
請求項１８に記載の方法。
【請求項２０】
前記第二の時間周波数リソースは少なくとも一つの時間周波数ユニットを含み、前記少なくとも一つの時間周波数ユニットのうちの第一の時間周波数ユニットに対応する時間範囲がシステムによって設定された時間であり、前記第一の時間周波数ユニットに対応する周波数範囲がシステムによって設定された周波数ラスタであり、前記第一の時間周波数ユニットは、前記リソース指示チャネルが前記第二の時間周波数リソースを拡張して占有することを示すための情報を含むことを特徴とする
請求項１８又は１９に記載の方法。
【請求項２１】
前記通信パラメータは、前記第一の時間周波数リソースのための多元接続技術、前記第一の時間周波数リソースのための複信モード、前記第一の時間周波数リソースのための通信モード、前記第一の時間周波数リソースのための多元接続技術に対応する基本物理層パラメータのうちの少なくとも一つを含むことを特徴とする
請求項１８〜２０のいずれか１項に記載の方法。
【請求項２２】
前記通信パラメータはセル識別子ＩＤを含むことを特徴とする
請求項１８〜２１のいずれか１項に記載の方法。
【請求項２３】
前記通信パラメータは、前記第一の時間周波数リソースに含まれる制御チャネル情報を含むことを特徴とする
請求項１８〜２２のいずれか１項に記載の方法。
【請求項２４】
前記制御チャネル情報は、ブロードキャストチャネルＢＣＨ情報、マスター情報ブロックＭＩＢ情報、ページングチャネルＰＣＨ、ダウンリンク共通制御チャネル情報、ダウンリンク専用制御チャネル情報、自己完結型モード情報、アップリンクランダムアクセスチャネル情報とアップリンク制御チャネル情報のうちの少なくとも一つを含むことを特徴とする
請求項２３に記載の方法。
【請求項２５】
前記リソース指示チャネルは特徴シーケンスを含み、前記特徴シーケンスは現在のチャネルがリソース指示チャネルであることを示すことに用いられることを特徴とする
請求項１８〜２４のいずれか１項に記載の方法。
【請求項２６】
前記方法は、
前記端末が前記特徴シーケンスに基づいて前記基地局と同期することをさらに含むことを特徴とする
請求項２５に記載の方法。
【請求項２７】
前記端末が前記リソース指示チャネルに基づき、第一の時間周波数リソースと前記第一の時間周波数リソースを使用する場合の通信パラメータを確定する前に、前記方法は、
前記端末がシステムによって予め設定された変調方式を使用して前記リソース指示チャネルを復調することをさらに含むことを特徴とする
請求項１８〜２６のいずれか１項に記載の方法。
【請求項２８】
前記端末が基地局から送信されたリソース指示チャネルを受信することは、
前記端末がシングルキャリア方式を使用して前記基地局から送信された前記リソース指示チャネルを受信することを含むことを特徴とする
請求項１８〜２７のいずれか１項に記載の方法。
【請求項２９】
前記端末が基地局から送信されたリソース指示チャネルを受信することは、
前記端末が、前記基地局がマルチアンテナ送信ダイバーシティにより送信した前記リソース指示チャネルを受信することを含むことを特徴とする
請求項１８〜２８のいずれか１項に記載の方法。
【請求項３０】
前記リソース指示チャネルは、前記リソース指示チャネルが前記セルの最後のリソース指示チャネルであることを示すための情報を含むことを特徴とする
請求項１８〜２９のいずれか１項に記載の方法。
【請求項３１】
前記リソース指示チャネルは、前記セルにおける次のリソース指示チャネルを示すための時間範囲と周波数範囲を含むことを特徴とする
請求項１８〜２９のいずれか１項に記載の方法。
【請求項３２】
前記セルは、複数のリソース指示チャネルに対応する複数の時間周波数リソースを含み、前記複数の時間周波数リソースに対応する時間範囲及び／又は周波数範囲が完全に同じではないことを特徴とする
請求項１８〜３１のいずれか１項に記載の方法。
【請求項３３】
前記リソース指示チャネルは、前記第一の時間周波数リソースが使用されないことを示すことに用いられることを特徴とする
請求項１８〜３２のいずれか１項に記載の方法。
【請求項３４】
前記リソース指示チャネルにガードバンドが設定されることを特徴とする
請求項１８〜３３のいずれか１項に記載の方法。
【請求項３５】
基地局であって、
リソース指示チャネルを生成するように構成され、前記リソース指示チャネルが第一の時間周波数リソースと前記第一の時間周波数リソースを使用する場合の通信パラメータを示すことに用いられ、前記リソース指示チャネルが第二の時間周波数リソースを占有し、少なくとも一つの前記リソース指示チャネルに対応する少なくとも一つの第一の時間周波数リソースがセルを構成する生成モジュールと、
端末へ前記生成モジュールにより生成された前記リソース指示チャネルを送信するように構成される送信モジュールとを含む、前記基地局。
【請求項３６】
前記第二の時間周波数リソースに占有された時間周波数範囲は第一の時間周波数リソースに占有された時間周波数範囲内にあることを特徴とする
請求項３５に記載の基地局。
【請求項３７】
前記第二の時間周波数リソースは少なくとも一つの時間周波数ユニットを含み、前記少なくとも一つの時間周波数ユニットのうちの第一の時間周波数ユニットに対応する時間範囲がシステムによって設定された時間であり、前記第一の時間周波数ユニットに対応する周波数範囲がシステムによって設定された周波数ラスタであり、前記第二の時間周波数リソースが複数の時間周波数ユニットを含む場合、前記第一の時間周波数ユニットは、前記リソース指示チャネルが前記第二の時間周波数リソースを拡張して占有することを示すための情報を含むことを特徴とする
請求項３５又は３６に記載の基地局。
【請求項３８】
前記通信パラメータは、前記第一の時間周波数リソースのための多元接続技術、前記第一の時間周波数リソースのための複信モード、前記第一の時間周波数リソースのための通信モード、前記第一の時間周波数リソースのための多元接続技術に対応する基本物理層パラメータのうちの少なくとも一つを含むことを特徴とする
請求項３５〜３７のいずれか１項に記載の基地局。
【請求項３９】
前記通信パラメータはセル識別子ＩＤを含むことを特徴とする
請求項３５〜３８のいずれか１項に記載の基地局。
【請求項４０】
前記通信パラメータは、前記第一の時間周波数リソースに含まれる制御チャネル情報を含むことを特徴とする
請求項３５〜３９のいずれか１項に記載の基地局。
【請求項４１】
前記制御チャネル情報は、ブロードキャストチャネルＢＣＨ情報、マスター情報ブロックＭＩＢ情報、ページングチャネルＰＣＨ、ダウンリンク共通制御チャネル情報、ダウンリンク専用制御チャネル情報、自己完結型モード情報、アップリンクランダムアクセスチャネル情報とアップリンク制御チャネル情報のうちの少なくとも一つを含むことを特徴とする
請求項４０に記載の基地局。
【請求項４２】
前記リソース指示チャネルは特徴シーケンスを含み、前記特徴シーケンスは現在のチャネルがリソース指示チャネルであることを示すことに用いられることを特徴とする
請求項３５〜４１のいずれか１項に記載の基地局。
【請求項４３】
前記特徴シーケンスはさらに前記基地局と前記端末との同期に用いられることを特徴とする
請求項４２に記載の基地局。
【請求項４４】
前記送信モジュールは、
システムによって予め設定された変調方式を使用して前記リソース指示チャネルを変調した後、前記端末へ前記リソース指示チャネルを送信するように構成されることを特徴とする
請求項３５〜４３のいずれか１項に記載の基地局。
【請求項４５】
前記送信モジュールは、
前記リソース指示チャネルに対してマルチアンテナ送信ダイバーシティを行った後、前記端末へ前記リソース指示チャネルを送信するように構成されることを特徴とする
請求項３５〜４４のいずれか１項に記載の基地局。
【請求項４６】
前記送信モジュールは、
シングルキャリア方式を使用して前記端末へ前記リソース指示チャネルを送信するように構成されることを特徴とする
請求項３５〜４５のいずれか１項に記載の基地局。
【請求項４７】
前記リソース指示チャネルは、前記リソース指示チャネルが前記セルの最後のリソース指示チャネルであることを示すための情報を含むことを特徴とする
請求項３５〜４６のいずれか１項に記載の基地局。
【請求項４８】
前記リソース指示チャネルは、前記セルにおける次のリソース指示チャネルを示すための時間範囲と周波数範囲を含むことを特徴とする
請求項３５〜４６のいずれか１項に記載の基地局。
【請求項４９】
前記セルは、複数のリソース指示チャネルに対応する複数の第一の時間周波数リソースを含み、前記複数の第一の時間周波数リソースに対応する時間範囲及び／又は周波数範囲は完全に同じではないことを特徴とする
請求項３５〜４８のいずれか１項に記載の基地局。
【請求項５０】
前記リソース指示チャネルは、前記第一の時間周波数リソースが使用されないことを示すことに用いられることを特徴とする
請求項３５〜４９のいずれか１項に記載の基地局。
【請求項５１】
前記基地局は、
前記送信モジュールが端末へ前記リソース指示チャネルを送信する前に、前記リソース指示チャネルのためにガードバンドを設定するように構成される処理モジュールをさらに含むことを特徴とする
請求項３５〜５０のいずれか１項に記載の基地局。
【請求項５２】
端末であって、
基地局から送信されたリソース指示チャネルを受信するように構成され、前記リソース指示チャネルが第一の時間周波数リソースと前記第一の時間周波数リソースを使用する場合の通信パラメータを示すことに用いられ、前記リソース指示チャネルが第二の時間周波数リソースを占有し、少なくとも一つの前記リソース指示チャネルに対応する少なくとも一つの時間周波数リソースがセルを構成する受信モジュールと、
前記受信モジュールにより受信された前記リソース指示チャネルに基づき、第一の時間周波数リソースと前記第一の時間周波数リソースを使用する場合の通信パラメータを確定するように構成される処理モジュールとを含む、前記端末。
【請求項５３】
前記第二の時間周波数リソースに占有された時間周波数範囲は前記第一の時間周波数リソースに占有された時間周波数範囲内にあることを特徴とする
請求項５２に記載の端末。
【請求項５４】
前記第二の時間周波数リソースは少なくとも一つの時間周波数ユニットを含み、前記少なくとも一つの時間周波数ユニットのうちの第一の時間周波数ユニットに対応する時間範囲がシステムによって設定された時間であり、前記第一の時間周波数ユニットに対応する周波数範囲がシステムによって設定された周波数ラスタであり、前記第一の時間周波数ユニットは、前記リソース指示チャネルが前記第二の時間周波数リソースを拡張して占有することを示すための情報を含むことを特徴とする
請求項５２又は５３に記載の端末。
【請求項５５】
前記通信パラメータは、前記第一の時間周波数リソースのための多元接続技術、前記第一の時間周波数リソースのための複信モード、前記第一の時間周波数リソースのための通信モード、前記第一の時間周波数リソースのための多元接続技術に対応する基本物理層パラメータのうちの少なくとも一つを含むことを特徴とする
請求項５２〜５４のいずれか１項に記載の端末。
【請求項５６】
前記通信パラメータはセル識別子ＩＤを含むことを特徴とする
請求項５２〜５５のいずれか１項に記載の端末。
【請求項５７】
前記通信パラメータは、前記第一の時間周波数リソースに含まれる制御チャネル情報を含むことを特徴とする
請求項５２〜５６のいずれか１項に記載の端末。
【請求項５８】
前記制御チャネル情報は、ブロードキャストチャネルＢＣＨ情報、マスター情報ブロックＭＩＢ情報、ページングチャネルＰＣＨ、ダウンリンク共通制御チャネル情報、ダウンリンク専用制御チャネル情報、自己完結型モード情報、アップリンクランダムアクセスチャネル情報とアップリンク制御チャネル情報のうちの少なくとも一つを含むことを特徴とする
請求項５７に記載の端末。
【請求項５９】
前記リソース指示チャネルは特徴シーケンスを含み、前記特徴シーケンスは現在のチャネルがリソース指示チャネルであることを示すことに用いられることを特徴とする
請求項５２〜５８のいずれか１項に記載の端末。
【請求項６０】
前記処理モジュールはさらに、
前記特徴シーケンスに基づいて前記基地局と同期するように構成されることを特徴とする
請求項５９に記載の端末。
【請求項６１】
前記処理モジュールはさらに、
前記リソース指示チャネルに基づき、第一の時間周波数リソースと前記第一の時間周波数リソースを使用する場合の通信パラメータを確定する前に、システムによって予め設定された変調方式を使用して前記リソース指示チャネルを復調するように構成されることを特徴とする
請求項５２〜６０のいずれか１項に記載の端末。
【請求項６２】
前記受信モジュールは、
シングルキャリア方式を使用して前記基地局から送信された前記リソース指示チャネルを受信するように構成されることを特徴とする
請求項５２〜６１のいずれか１項に記載の端末。
【請求項６３】
前記受信モジュールは、
前記基地局がマルチアンテナ送信ダイバーシティにより送信した前記リソース指示チャネルを受信するように構成されることを特徴とする
請求項５２〜６２のいずれか１項に記載の端末。
【請求項６４】
前記リソース指示チャネルは、前記リソース指示チャネルが前記セルの最後のリソース指示チャネルであることを示すための情報を含むことを特徴とする
請求項５２〜６３のいずれか１項に記載の端末。
【請求項６５】
前記リソース指示チャネルは、前記セルにおける次のリソース指示チャネルを示すための時間範囲と周波数範囲を含むことを特徴とする
請求項５２〜６３のいずれか１項に記載の端末。
【請求項６６】
前記セルは複数のリソース指示チャネルに対応する複数の時間周波数リソースを含み、前記複数の時間周波数リソースに対応する時間範囲及び／又は周波数範囲は完全に同じではないことを特徴とする
請求項５２〜６５のいずれか１項に記載の端末。
【請求項６７】
前記リソース指示チャネルは、前記第一の時間周波数リソースが使用されないことを示すことに用いられることを特徴とする
請求項５２〜６６のいずれか１項に記載の端末。
【請求項６８】
前記リソース指示チャネルにガードバンドが設定されることを特徴とする
請求項５２〜６７のいずれか１項に記載の端末。
【発明の詳細な説明】
【技術分野】
【０００１】
本発明は通信分野に関し、より具体的には、リソース指示方法、基地局と端末に関する。
【背景技術】
【０００２】
従来の無線通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）２００、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）と長期進化型（ＬＴＥ：Ｌｏｎｇ  Ｔｅｒｍ  Ｅｖｏｌｕｔｉｏｎ）などのシステムでは、一般的に固定された通信パラメータが使用され、又は、非常に限られた少数通信パラメータ、例えば搬送波帯域幅、タイムスロット長又はサブフレーム長さ、ＣＤＭＡシステムの拡散因子、ＬＴＥシステムのサブ搬送波間隔と物理リソースブロック粒度などだけが変化することができる。
【０００３】
しかしながら、次世代無線通信システム（例えば５Ｇシステム）ではサポートを必要とする応用方式は様々である。したがって、帯域幅、遅延、移動性、カバレッジ、通信レート、信頼性、ユーザ数などのインジケータの大きな変化に効率的に対応する必要がある。従来のシステムでは、リソースの割り当て、リソースに対応する通信パラメータ、及びリソースに対応する指示手段は単一であり、次世代無線通信システムのニーズを満たすことが困難である。
【発明の概要】
【発明が解決しようとする課題】
【０００４】
本発明の実施例は、リソース割り当て及び指示の柔軟性を向上させることができ、無線通信システムの性能と適用性を高めることができるリソース指示方法、基地局と端末を提供する。
【課題を解決するための手段】
【０００５】
第一の態様によるリソース指示方法は、
基地局がリソース指示チャネルを生成し、前記リソース指示チャネルが第一の時間周波数リソースと前記第一の時間周波数リソースを使用する場合の通信パラメータを示すことに用いられ、前記リソース指示チャネルが第二の時間周波数リソースを占有し、少なくとも一つの前記リソース指示チャネルに対応する少なくとも一つの第一の時間周波数リソースがセルを構成することと、
前記基地局が端末へ前記リソース指示チャネルを送信することとを含む。
【０００６】
第一の態様の可能な実施形態において、前記基地局が端末へ前記リソース指示チャネルを送信することは、
前記基地局がシステムによって予め設定された変調方式を使用して前記リソース指示チャネルを変調した後、前記端末へ前記リソース指示チャネルを送信することを含むことができる。
【０００７】
第一の態様の可能な実施形態において、前記基地局が端末へ前記リソース指示チャネルを送信することは、
前記基地局が前記リソース指示チャネルに対してマルチアンテナ送信ダイバーシティを行った後、前記端末へ前記リソース指示チャネルを送信することを含むことができる。
【０００８】
第一の態様の可能な実施形態において、前記基地局が端末へ前記リソース指示チャネルを送信することは、
前記基地局がシングルキャリア方式を使用して前記端末へ前記リソース指示チャネルを送信することを含むことができる。
【０００９】
上記方式によってリソース指示チャネルを送信する時に、より基本的なパラメータを使用することにより、端末検出の複雑さを低減し、端末がリソース指示チャネルを迅速かつ正確に検索して復調し、システム効率を向上させることが可能となる。
【００１０】
第一の態様の可能な実施形態において、端末が他のリソース指示チャネルの検索をタイムリーに停止することが可能となり、それによってシステムの性能と効率を向上させることが可能となるように、前記リソース指示チャネルは前記リソース指示チャネルが前記セルの最後のリソース指示チャネルであることを示すための情報を含む。
【００１１】
第一の態様の別の可能な実施形態において、端末が次のリソース指示チャネルを迅速に検索することが可能となり、それによってシステムの性能と効率を向上させることが可能となるように、前記リソース指示チャネルは前記セルにおける次のリソース指示チャネルを示すための時間範囲と周波数範囲を含む。
【００１２】
第一の態様の可能な実施形態において、前記基地局が端末へ前記リソース指示チャネルを送信する前に、前記方法は、前記基地局が前記リソース指示チャネルのためにガードバンドを設定することをさらに含む。リソース指示チャネルが利用可能な全周波数帯域エッジに位置する場合、帯域外放射インジケータは現場の監視要件と一致する必要がある。リソース指示チャネルがシステム帯域内部に位置する場合、帯域外放射インジケータは帯域内相互干渉要件と一致する必要がある。
【００１３】
第二の態様によるリソース指示方法は、
端末が基地局から送信されたリソース指示チャネルを受信し、前記リソース指示チャネルが第一の時間周波数リソースと前記第一の時間周波数リソースを使用する場合の通信パラメータを示すことに用いられ、前記リソース指示チャネルが第二の時間周波数リソースを占有し、少なくとも一つの前記リソース指示チャネルに対応する少なくとも一つの時間周波数リソースがセルを構成することと、
前記端末が前記リソース指示チャネルに基づき、第一の時間周波数リソースと前記第一の時間周波数リソースを使用する場合の通信パラメータを確定することとを含む。
【００１４】
第二の態様の可能な実施形態において、前記方法は、
前記端末が前記特徴シーケンスに基づいて前記基地局と同期することをさらに含む。
【００１５】
第二の態様の可能な実施形態において、前記端末が前記リソース指示チャネルに基づき、第一の時間周波数リソースと前記第一の時間周波数リソースを使用する場合の通信パラメータを確定する前に、前記方法は、
前記端末がシステムによって予め設定された変調方式を使用して前記リソース指示チャネルを復調することをさらに含む。
【００１６】
第二の態様の可能な実施形態において、前記端末が基地局から送信されたリソース指示チャネルを受信することは、
前記端末がシングルキャリア方式を使用して前記基地局から送信された前記リソース指示チャネルを受信することを含む。
【００１７】
第二の態様の可能な実施形態において、前記端末が基地局から送信されたリソース指示チャネルを受信することは、
前記端末が、前記基地局がマルチアンテナ送信ダイバーシティにより送信した前記リソース指示チャネルを受信することを含む。
【００１８】
第二の態様の可能な実施形態において、前記リソース指示チャネルは前記リソース指示チャネルが前記セルの最後のリソース指示チャネルであることを示すための情報を含む。
【００１９】
第二の態様の可能な実施形態において、前記リソース指示チャネルは前記セルにおける次のリソース指示チャネルを示すための時間範囲と周波数範囲を含む。
【００２０】
第二の態様の可能な実施形態において、前記リソース指示チャネルにガードバンドが設定される。
【００２１】
第三の態様による基地局は生成モジュールと送信モジュールを含み、第一の態様と第二の態様の対応する実施形態を実行するように構成される。基地局は対応する実施形態を実行するように、処理モジュールを含むことができる。
【００２２】
第四の態様による基地局はプロセッサ、送受信機とメモリを含み、第一の態様と第二の態様の対応する実施形態を実行するように構成され、且つ第四の態様による基地局の各部材は第三の態様による基地局の対応するモジュールに対応することができる。
【００２３】
第五の態様による端末は受信モジュールと処理モジュールを含み、第一の態様と第二の態様の対応する実施形態を実行するように構成される。
【００２４】
第六の態様による端末はプロセッサ、送受信機とメモリを含み、第一の態様と第二の態様の対応する実施形態を実行するように構成され、且つ第六の態様による端末の各部材は第五の態様による端末の対応するモジュールに対応することができる。
【００２５】
第一の態様〜第六の態様及び対応する実施形態において、第二の時間周波数リソースに占有された時間周波数範囲は前記第一の時間周波数リソースに占有された時間周波数範囲内にあることができる。
【００２６】
理解すべきものとして、前記第二の時間周波数リソースは少なくとも一つの時間周波数ユニットを含むことができ、前記少なくとも一つの時間周波数ユニットのうちの第一の時間周波数ユニットに対応する時間範囲がシステムによって設定された時間であり、前記第一の時間周波数ユニットに対応する周波数範囲がシステムによって設定された周波数ラスタであり、前記第二の時間周波数リソースが複数の時間周波数ユニットを含む場合、前記第一の時間周波数ユニットは、前記リソース指示チャネルが前記第二の時間周波数リソースを拡張して占有することを示すための情報を含む。
【００２７】
前記通信パラメータは、前記第一の時間周波数リソースのための多元接続技術、前記第一の時間周波数リソースのための複信モード、前記第一の時間周波数リソースのための通信モード、前記第一の時間周波数リソースのための多元接続技術に対応する基本物理層パラメータのうちの少なくとも一つを含むことができる。
【００２８】
前記通信パラメータはセル識別子ＩＤを含むことができる。
【００２９】
前記通信パラメータは前記第一の時間周波数リソースに含まれる制御チャネル情報を含むことができる。
【００３０】
前記制御チャネル情報は、ブロードキャストチャネルＢＣＨ情報、マスター情報ブロックＭＩＢ情報、ページングチャネルＰＣＨ、ダウンリンク共通制御チャネル情報、ダウンリンク専用制御チャネル情報、自己完結型モード情報、アップリンクランダムアクセスチャネル情報とアップリンク制御チャネル情報のうちの少なくとも一つを含むことができる。
【００３１】
前記リソース指示チャネルは特徴シーケンスを含むことができ、前記特徴シーケンスは、現在のチャネルがリソース指示チャネルであることを示すことに用いられる。
【００３２】
前記特徴シーケンスはさらに前記基地局と前記端末との同期に用いられてもよい。
【００３３】
前記セルは複数のリソース指示チャネルに対応する複数の第一の時間周波数リソースを含むことができ、前記複数の第一の時間周波数リソースに対応する時間範囲及び／又は周波数範囲は完全に同じではない。
【００３４】
前記リソース指示チャネルは前記第一の時間周波数リソースが使用されないことを示すことに用いられてもよい。
【００３５】
上記技術的解決策に基づき、本発明の実施例におけるリソース指示方法、基地局と端末では、基地局がリソース指示チャネルを生成して送信し、その中のリソース指示チャネルが時間周波数リソースと該時間周波数リソースを使用する場合の通信パラメータを示すことに用いられ、少なくとも一つのリソース指示チャネルに対応する少なくとも一つの時間周波数リソースがセルを構成し、これにより、リソース割り当て及び指示の柔軟性を向上させることができ、無線通信システムの性能と適用性を高めることができる。
【図面の簡単な説明】
【００３６】
【図１】本発明の一つの実施例におけるリソース指示方法の模式的なフローチャートである。
【図２Ａ】本発明の実施例におけるリソース指示チャネルと第一の時間周波数リソースの模式図である。
【図２Ｂ】本発明の実施例におけるリソース指示チャネルと第一の時間周波数リソースの模式図である。
【図２Ｃ】本発明の実施例におけるリソース指示チャネルと第一の時間周波数リソースの模式図である。
【図２Ｄ】本発明の実施例におけるリソース指示チャネルと第一の時間周波数リソースの模式図である。
【図２Ｅ】本発明の実施例におけるリソース指示チャネルと第一の時間周波数リソースの模式図である。
【図２Ｆ】本発明の実施例におけるリソース指示チャネルと第一の時間周波数リソースの模式図である。
【図２Ｇ】本発明の実施例におけるリソース指示チャネルと第一の時間周波数リソースの模式図である。
【図２Ｈ】本発明の実施例におけるリソース指示チャネルと第一の時間周波数リソースの模式図である。
【図２Ｉ】本発明の実施例におけるリソース指示チャネルと第一の時間周波数リソースの模式図である。
【図３】本発明の一つの実施例におけるセルの模式図である、
【図４】本発明の別の実施例におけるリソース指示方法の模式的なフローチャートである。
【図５】本発明の別の実施例におけるリソース指示方法の模式的なフローチャートである。
【図６】本発明の一つの実施例における基地局の模式的なブロック図である。
【図７】本発明の別の実施例における基地局の模式的なブロック図である。
【図８】本発明の一つの実施例における端末の模式的なブロック図である。
【図９】本発明の別の実施例における端末の模式的なブロック図である。
【発明を実施するための形態】
【００３７】
本発明の実施例の技術的な解決策をより明確に説明するため、以下に実施例又は従来技術の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００３８】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００３９】
本明細書に使用される用語「部材」、「モジュール」、「システム」などはコンピュータに関連するエンティティ、ハードウェア、ファームウェア、ハードウェアとソフトウェアの組み合わせ、ソフトウェア、又は実行中のソフトウェアを表すことに用いられる。例えば、部材はプロセッサで実行されているプロセス、プロセッサ、オブジェクト、実行可能ファイル、実行スレッド、プログラム及び/又はコンピュータであってもよいがこれらに限定されない。図面に示すように、コンピューティングデバイスで実行されているアプリケーションとコンピューティングデバイスは部材であってもよい。一つ以上の部材はプロセス及び／又は実行スレッドに駐在でき、部材は一つのコンピュータに位置し又は２つ以上のコンピュータの間に分布することができる。また、これらの部材は様々なデータ構造を記憶した上記の様々なコンピュータ可読媒体で実行されてもよい。部材は例えば一つ以上のデータグループ（例えばローカルシステム、分散型システム及び／又はネットワーク間の別の部材とインタラクションを行う二つの部材からのデータ、例えば信号により他のシステムとインタラクションを行うインターネット）を有する信号に基づいてローカル及び／又は遠隔プロセスにより通信することができる。
【００４０】
理解すべきものとして、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワールドワイドインターオペラビリティフォーマイクロウェーブアクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、及び将来の５Ｇ通信システムなどに応用されることができる。
【００４１】
本発明は端末と組み合わせて各実施例を説明する。端末は無線アクセスネットワーク（ＲＡＮ：Ｒａｄｉｏ  Ａｃｃｅｓｓ  Ｎｅｔｗｏｒｋ）を介して一つ以上のコアネットワークと通信することができ、端末はユーザ装置（ＵＥ：Ｕｓｅｒ  Ｅｑｕｉｐｍｅｎｔ）、アクセス端末、加入者ユニット、加入者サイト、移動サイト、移動局、遠隔局、遠隔端末、移動装置、ユーザ端末、無線通信装置、ユーザエージェント又はユーザデバイスであってもよい。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末などであってもよい。
【００４２】
本発明は基地局と組み合わせて各実施例を説明する。基地局は端末装置と通信するためのデバイスであってもよく、例えばＧＳＭシステム又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）であってよく、又は該基地局は中継局、アクセスポイント、車載デバイス、ウェアラブルデバイス及び将来の５Ｇネットワークにおけるネットワーク側デバイスなどであってもよい。
【００４３】
図１は本発明の一つの実施例におけるリソース指示方法１００の模式的なフローチャートである。図１に示すように、該方法１００は基地局と端末に関し、以下のステップを含むがこれらに限定されない。
【００４４】
Ｓ１１０において、基地局はシステムの設定及び現在のリソースの割り当て状況に応じて、リソース指示チャネルを生成する。該リソース指示チャネルは第一の時間周波数リソースと該第一の時間周波数リソースを使用する場合の通信パラメータを示すことに用いられ、該リソース指示チャネルが第二の時間周波数リソースを占有する。その中、模式的に、図２Ａに示すように、第一の時間周波数リソースＲは第二の時間周波数リソースｒ（陰影部分で示される）を含み、即ち第二の時間周波数リソースに占有された時間周波数範囲は第一の時間周波数リソースに占有された時間周波数範囲にある。
【００４５】
理解すべきものとして、本発明の実施例における第二の時間周波数リソースｒは少なくとも一つの時間周波数ユニットを含むことができる。第二の時間周波数リソースｒが一つだけの時間周波数ユニット（例えば図２Ａに示す第一の時間周波数ユニットｒ-１）を含む場合、第一の時間周波数ユニットｒ-１に対応する時間範囲はシステムによって設定された時間であり、第一の時間周波数ユニットｒ-１に対応する周波数範囲はシステムによって設定された周波数ラスタ（Ｆｒｅｑｕｅｎｃｙ  Ｒａｓｔｅｒ、一般的にｆＲとして記入されてもよく、例えばｆＲ＝Ｋ×１００ＫＨＺ、Ｋが周波数帯域と関連する因子である）である。
【００４６】
第二の時間周波数リソースｒが複数の時間周波数ユニットを含む場合、第一の時間周波数ユニットｒ-１は、リソース指示チャネルが第一の時間周波数ユニットｒ-１から複数の時間周波数ユニット（図２Ｂに示す第一の時間周波数ユニットｒ-１、第二の時間周波数ユニットｒ-２と第三の時間周波数ユニットｒ-３）を占有し、即ち第二の時間周波数リソースｒを占有するように拡張されることを示すための情報を含むことができる。ここで、第一の時間周波数ユニットｒ-１は時間範囲へ拡張されてもよく、また周波数範囲へ拡張されてもよく、本発明の実施例においてこれに限定されない。第一の時間周波数ユニットｒ-１に対応する時間範囲は依然としてシステムによって設定された時間であり、第一の時間周波数ユニットｒ-１に対応する周波数範囲は依然としてシステムによって設定された周波数ラスタである。
【００４７】
これにより、リソース指示チャネルは時間範囲と周波数範囲が比較的固定されたいくつかのリソースに分布し、且つリソース指示チャネル自体に占有された時間周波数リソースが少なく、付近のより大きな時間周波数リソースの割り当てと通信パラメータを示すことに用いられる。リソース指示チャネルの上記特徴に基づき、該リソース指示チャネルを「アンカーチャネル」と鮮明に呼ばれてもよい。図２Ａ〜図２Ｉ及び図３に示す第二の時間周波数リソースが第一の時間周波数リソース内に位置する例以外、リソース指示チャネルに占有された第二の時間周波数リソースの時間周波数範囲は第一の時間周波数リソースに占有された時間周波数範囲内に位置しなくてもよく、本発明の実施例においてこれに限定されない。
【００４８】
理解すべきものとして、本発明の実施例におけるリソース指示チャネルに示された第一の時間周波数リソースは、該リソース指示チャネルに管轄された時間範囲と周波数範囲であると考えられてもよい。一つのリソース指示チャネルに管轄された周波数範囲の大きさは周波数ラスタの大きさの整数倍Ｎ（Ｎが１以上である）であり、リソース指示チャネルに管轄された時間範囲は一つ又は複数の固定された時間単位又は設定可能な時間長さ（リソース指示チャネル内で示されてもよい）である。システムによって、Ｎが１より大きい場合、端末は該リソース指示チャネルに管轄された時間範囲の別のＮ-１個の周波数ラスタで他のリソース指示チャネルを検索する必要がないことを約束され、これにより、基地局と端末が相互にリソースを割り当てる効率を向上させることができる。
【００４９】
注意すべきものとして、本発明の実施例においてリソース指示チャネルによって示された第一の時間周波数リソースＲは、好ましく一定時間範囲と一定周波数範囲の全てのリソースユニット、即ち図２Ａと図２Ｂに示す形状が規則的な領域を含むことができ、第一の時間周波数リソースＲは一定時間範囲と一定周波数範囲の全てのリソースユニットからいくつかのリソースユニット、即ち図２Ｃに示す形状が不規則な領域を差し引くこともできる。また、第二の時間周波数リソースｒは第一の時間周波数リソースＲのエッジ位置（図２Ａ〜図２Ｇに示すように）に位置してもよく、また第一の時間周波数リソースＲの非エッジ位置（図２Ｈに示すように）に位置してもよい。
【００５０】
リソース指示チャネルは第一の時間周波数リソースが使用されないことを示すことに用いられてもよく、即ちリソース指示チャネルはさらにリソースに使用されない領域を示すことに用いられてもよい。図２Ｉに示すように、例えば、セル間の干渉調整などのシーンに応用されてもよい。リソースが使用されるかどうかは、リソース指示チャネルに指示ビット（ｂｉｔｓ）の値を設定することにより判定されてもよい。
【００５１】
本発明の実施例において、少なくとも一つのリソース指示チャネルに対応する少なくとも一つの第一の時間周波数リソースはセルを構成することができる。セルには複数のリソース指示チャネルに対応する複数の第一の時間周波数リソースが含まれる場合、複数の第一の時間周波数リソースに対応する時間範囲及び周波数範囲は完全に同じではない。例えば、図３に示すように、セルには３つの資源指示チャネルに対応する３つの第一の時間周波数リソースが含まれ、それぞれ第一の時間周波数リソースＳ（リソース指示チャネルｓに対応する）、第一の時間周波数リソースＴ（リソース指示チャネルｔに対応する）と第一の時間周波数リソースＵ（リソース指示チャネルｕに対応する）である。その中、第一の時間周波数リソースＳは第一の時間周波数リソースＴの時間範囲と同じではなく、第一の時間周波数リソースＳは第一の時間周波数リソースＵに対応する周波数範囲と同じではない。これにより、本発明の実施例における解決策は、従来技術におけるセル及び／又は搬送波が固定され且つ連続している帯域幅を占有するという制限を突破でき、それによって時間周波数リソースをより柔軟に割り当て、無線通信システムの性能と適用性を向上させ、リソースのより良い利用を達成することができ。
【００５２】
本発明の実施例において、通信パラメータは、リソース指示チャネルに対応する第一の時間周波数リソースが属するセルを識別するように、セル識別子（ＩＤ：Ｉｄｅｎｔｉｔｙ）を含むことができる。セルＩＤは一つの３２ビット列であってもよく、本発明の実施例において、一つのリソース指示チャネルは完全なセルＩＤを含んでもよいし、一部のセルＩＤ（例えば１６ビットが含まれる）を含んでもよいし、セルＩＤの他の部分は他のリソース指示チャネルを介して伝送されてもよいし、又は別の専用シグナリング又はメッセージにより送信されてもよい。当然、本発明の実施例において、セルＩＤは完全にリソース指示チャネルを介して伝送されてもよく、他の方式により端末に通知されてもよく、本発明の実施例においてこれに限定されない。
【００５３】
本発明の実施例において、通信パレメータは、第一の時間周波数リソースのための多元接続技術、第一の時間周波数リソースのための二重、第一の時間周波数リソースのための通信モード、第一の時間周波数リソースのための多元接続技術に対応する基本物理層パラメータのうちの少なくとも一つを含むことができる。
【００５４】
ここで、第一の時間周波数リソースのための多元接続技術は、例えば直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術、単一搬送波周波数分割多元接続（ＳＣ−ＦＤＭＡ：Ｓｉｎｇｌｅ−ｃａｒｒｉｅｒ  Ｆｒｅｑｕｅｎｃｙ−Ｄｉｖｉｓｉｏｎ  Ｍｕ１ｔｉｐｌｅ  Ａｃｃｅｓｓシングルキャリア周波数分割多元接続）技術、単純な周波数分割多元接続ＦＤＭＡ技術、ＣＤＭＡ技術などのうちの少なくとも一つを含むことができる。本発明の実施例における時間周波数リソース割り当て及び指示手段については、システムにおける様々な多元接続技術の柔軟な共存を許可することが可能となる。
【００５５】
通信パラメータには第一の時間周波数リソースのための多元接続技術が含まれる場合、さらに多元接続技術に対応する基本物理層パラメータを含むことができる。一つの具体的な例では、第一の時間周波数リソースがＯＦＤＭ技術を使用する場合、その基本物理層パラメータは周波数領域におけるサブ搬送波の間隔、サイクリックプレフィックス（ＣＰ：Ｃｙｃｌｉｃ  Ｐｒｅｆｉｘ）長さ、及び時間領域における伝送時間間隔（ＴＴＩ：Ｔｒａｎｓｍｉｓｓｉｏｎ  Ｔｉｍｅ  Ｉｎｔｅｒｖａｌ）長さなどを含むことができる。
【００５６】
第一の時間周波数リソースのための複信モードは周波数分割複信（ＦＤＤ：Ｆｒｅｑｕｅｎｃｙ  Ｄｉｖｉｓｉｏｎ  Ｄｕｐｌｅｘｏｍｇ）、半二重ＦＤＤ、時分割複信（ＴＤＤ：Ｔｉｍｅ  Ｄｉｖｉｓｉｏｎ  Ｄｕｐｌｅｘｉｎｇ）、全二重などを含むことができる。
【００５７】
第一の時間周波数リソースのための通信モードは基地局から端末への通信、又は端末から端末へ（Ｄ２Ｄ：Ｄｅｖｉｃｅ-ｔｏ-Ｄｅｖｉｃｅ）の通信などを含むことができる。
【００５８】
本発明の実施例において、リソース指示チャネルの通信パラメータは、さらに第一の時間周波数リソースに含まれる制御チャネル情報を含むことができる。例えば、該制御チャネル情報は、ブロードキャストチャネル（ＢＣＨ：Ｂｒｏａｄｃａｓｔ  Ｃｈａｎｎｅｌ）情報、マスター情報ブロック（ＭＩＢ：Ｍａｓｔｅｒ  Ｉｎｆｏｒｍａｔｉｏｎ  Ｂｌｏｃｋ）、ページングチャネル（ＰＣＨ：Ｐａｇｉｎｇ  Ｃｈａｎｎｅｌ）、ダウンリンク共通制御チャネル情報、ダウンリンク専用制御チャネル情報、自己完結型モード情報、アップリンクランダムアクセスチャネル情報とアップリンク制御チャネル情報のうちの少なくとも一つを含むことができる。
【００５９】
ここで、通信パラメータは、第一の時間周波数リソースにＢＣＨ又はＭＩＢがあるかどうかという情報を含むことができ、一般的には、一つのセルに少なくとも一つのＢＣＨ又はＭＩＢがあり、セルの各第一の時間周波数リソースに、ＢＣＨ又はＭＩＢがある可能性があり、ＢＣＨ又はＭＩＢがない可能性がある。
【００６０】
通信パラメータは第一の時間周波数リソースにＰＣＨがあるかどうかという情報を含むことができる。
【００６１】
通信パラメータは第一の時間周波数リソースにダウンリンク共通制御チャネルがあるかどうかという情報を含むことができ、ダウンリンク共通制御チャネルがある場合、通信パラメータはさらに１番目のダウンリンク共通制御チャネルの時間周波数位置を含むことができ、該時間周波数位置はリソース指示チャネルに対するオフセット量によって示されてもよい。
【００６２】
通信パラメータは、第一の時間周波数リソースにダウンリンク専用制御チャネルがあるかどうかという情報を含むことができ、ダウンリンク専用制御チャネルがある場合、通信パラメータはさらに第一のダウンリンク専用制御チャネルの時間周波数位置を含むことができ、該時間周波数位置はリソース指示チャネルに対するオフセット量によって示されてもよい。
【００６３】
ＴＤＤシステムに対して、通信パラメータはさらに第一の時間周波数リソースが自己完結型モードであるかどうかという情報を含むことができ、自己完結型モードとは、ダウンリンクとアップリンクを同時に含み、同一の時間範囲のダウンリンク伝送をアップリンクによってフィードバックすることを意味する。
【００６４】
通信パラメータは第一の時間周波数リソースにアップリンクランダムアクセスチャネルがあるかどうかという情報を含むことができ、アップリンクランダムアクセスチャネルがある場合、通信パラメータはさらにランダムアクセスチャネルの時間周波数位置と数量を含むことができ、該時間周波数位置はリソース指示チャネルに対するオフセット量によって示されてもよい。
【００６５】
通信パラメータは第一の時間周波数リソースにアップリンク制御チャネルがあるかどうかという情報を含むことができ、アップリンク制御チャネルがある場合、通信パラメータはさらにアップリンク制御チャネルの時間周波数位置と数量を含むことができ、該時間周波数位置はリソース指示チャネルに対するオフセット量によって示されてもよい。
【００６６】
理解すべきものとして、本発明の実施例におけるリソース指示チャネルの内容は以上に挙げられた内容に限定されなく、システム需要に応じて、リソース指示チャネルはそれと関連する他の通信パラメータを含むことができ、本発明の実施例においてこれに限定されない。
【００６７】
第一の時間周波数リソースの存在するセルが複数のリソース指示チャネルを含む場合、端末がリソース指示チャネルを検索しなく、システムの性能と効率を向上させることが可能となるように、セルの最後のリソース指示チャネルは、該リソース指示チャネルが該セルの最後のリソース指示チャネルであることを示すための情報を含むことができる。該リソース指示チャネルが該セルの最後のリソース指示チャネルであることを示すことは、明示的方式で例えば一つの識別ビットを設定し、識別ビットの値に基づいて最後のリソース指示チャネルであるかどうかを判定することにより行われてもよい。該リソース指示チャネルが該セルの最後のリソース指示チャネルであることを示すことは、暗示的方式で例えばリソース指示チャネルに特定の特徴シーケンス（例えばルートシーケンスと特定量の巡回シフト間隔があるシーケンス）を使用して自体が最後のリソース指示チャネルを暗示的に示すことなどにより行われてもよく、本発明の実施例において具体的な実施形態が限定されない。
【００６８】
第一の時間周波数リソースの存在するセルが複数のリソース指示チャネルを含む場合、端末が次のリソース指示チャネルを迅速に検索することが可能となり、システムの性能と効率を向上させることが可能となるように、セルの非最後のリソース指示チャネルは、該セルにおける次のリソース指示チャネルを示すための時間範囲と周波数範囲を含むことができる。
【００６９】
理解すべきものとして、ここで、次のリソース指示チャネルを示すための時間範囲と周波数範囲は暗示的指示であってもよく、例えばデフォルトの形態であってもよく、次のリソース指示チャネルは第一の時間周波数リソースの後の同一の周波数ラスタにおける次の時間単位にあるとデフォルトされるが、本発明の実施例においてこれに限定されない。次のリソース指示チャネルを示すための時間範囲と周波数範囲は明示的指示であってもよく、特にリソース指示チャネルに管轄された第一の時間周波数が不規則である場合、明示的指示方式により、次のリソース指示チャネルの位置を端末に直接通知することができる。
【００７０】
基地局がリソース指示チャネルを生成するＳ１１０の後、Ｓ１２０において、基地局は端末へリソース指示チャネルを送信する。これに対応して、端末は基地局から送信されたリソース指示チャネルを受信する。
【００７１】
本発明の実施例において、好ましくは、簡単なシングルキャリア方式即ち非ＯＦＤＭなどのマルチ搬送波モードを使用してリソース指示チャネルを送信することができる。且つ、好ましくは、マルチストリーム多入力多出力（ＭＩＭＯ：Ｍｕｌｔｉｐｌｅ−Ｉｎｐｕｔ  Ｍｕｌｔｉｐｌｅ−Ｏｕｔｐｕｔ）技術を使用せず、端末に対して透明的又は端末に対してブラインド検出を行うことができるマルチアンテナ送信ダイバーシチ技術を使用することがきる。本発明の実施例において上記方式によりリソース指示チャネルを使用するかどうかに対して限定しない。また、好ましくは、基地局はシステムによって予め設定された変調方式を使用してリソース指示チャネルを変調することができる。端末は予め設定されたモードで迅速に復調することができる。基地局はさらにリソース指示チャネルに特徴シーケンスを設定することができ、該特徴シーケンスが現在のチャネルがリソース指示チャネルであることを示すことに用いられ、これにより、端末はリソース指示チャネルを迅速且つ正確に検索することが可能となる。
【００７２】
上記方式によってリソース指示チャネルを送信する時により基本的なパラメータを使用して送信することにより、端末検出の複雑さを低減し、端末がリソース指示チャネルを迅速且つ正確に検索して復調し、システム効率を向上させることが可能となる。
【００７３】
リソース指示チャネルに含まれる特徴シーケンスは、時間と周波数における同期に用いられてもよく、又は（全て又は一部）のセルＩＤを示すこともできる。通常、Ｍシーケンス又は直交性（自己相関、相互相関性）が良い他のシーケンスを使用することができる。同一のセルにおける異なるリソース指示チャネルは同一のルート（ｒｏｏｔ）シーケンス及び／又はルートシーケンスを巡回して変位することなどにより取得された相同シーケンスを使用することができる。
【００７４】
本発明の実施例において、基地局が端末へリソース指示チャネルを送信する前に、基地局はリソース指示チャネルにガードバンドを設定することができる。リソース指示チャネルが利用可能な全周波数帯域エッジに位置する場合、帯域外放射インジケータは現場の監視要件と一致する必要がある。リソース指示チャネルがシステム帯域内部に位置する場合、帯域外放射インジケータは帯域内相互干渉要件と一致する必要がある。
【００７５】
理解すべきものとして、本発明の実施例において、異なるセルは時間又は周波数においてリソース指示チャネルの送信パターン（ｐａｔｔｅｒｎ）を分けて設定することで、相互干渉を回避することができる。この場合、セル間に一定の時間調整関係が存在することが要求される。
【００７６】
Ｓ１３０において、端末はリソース指示チャネルに基づき、第一の時間周波数リソースと前記第一の時間周波数リソースを使用する場合の通信パラメータを確定する。
【００７７】
以下に基地局から本発明の実施例におけるリソース指示方法２００を説明する。方法１００に対応して、図４に示すように、方法２００は、Ｓ２１０及びＳ２１０を含む。
【００７８】
Ｓ２１０において、基地局がリソース指示チャネルを生成し、前記リソース指示チャネルが第一の時間周波数リソースと前記第一の時間周波数リソースを使用する場合の通信パラメータを示すことに用いられ、前記リソース指示チャネルが第二の時間周波数リソースを占有し、少なくとも一つの前記リソース指示チャネルに対応する少なくとも一つの第一の時間周波数リソースがセルを構成する。
【００７９】
Ｓ２２０において、前記基地局が端末へ前記リソース指示チャネルを送信する。
【００８０】
本発明の実施例におけるリソース指示方法では、基地局がリソース指示チャネルを生成して送信し、その中のリソース指示チャネルが時間周波数リソースと該時間周波数リソースを使用する場合の通信パラメータを示すことに用いられ、少なくとも一つのリソース指示チャネルに対応する少なくとも一つの時間周波数リソースがセルを構成し、これにより、リソース割り当て及び指示の柔軟性を向上させ、無線通信システムの性能と適用性を高めることができる。
【００８１】
本発明の実施例において、前記基地局が端末へ前記リソース指示チャネルを送信するＳ２２０の前に、前記方法２００は、
前記基地局が前記リソース指示チャネルにガードバンドを設定することをさらに含むことができる。
【００８２】
本発明の実施例において、前記基地局が端末へ前記リソース指示チャネルを送信するＳ２２０は、
前記基地局が前記リソース指示チャネルに対してマルチアンテナ送信ダイバーシティを行った後、前記端末へ前記リソース指示チャネルを送信することを含むことができる。
【００８３】
本発明の実施例において、前記基地局が端末へ前記リソース指示チャネルを送信するＳ２２０は、
前記基地局がシングルキャリア方式を使用して前記端末へ前記リソース指示チャネルを送信することを含むことができる。
【００８４】
本発明の実施例において、前記第二の時間周波数リソースは少なくとも一つの時間周波数ユニットを含むことができ、前記少なくとも一つの時間周波数ユニットのうちの第一の時間周波数ユニットに対応する時間範囲がシステムによって設定された時間であり、前記第一の時間周波数ユニットに対応する周波数範囲がシステムによって設定された周波数ラスタであり、前記第二の時間周波数リソースが複数の時間周波数ユニットを含む場合、前記第一の時間周波数ユニットは、前記リソース指示チャネルが前記第二の時間周波数リソースを拡張して占有することを示すための情報を含む。
【００８５】
本発明の実施例において、前記リソース指示チャネルは特徴シーケンスを含むことができ、前記特徴シーケンスは現在のチャネルがリソース指示チャネルであることを示すことに用いられる。
【００８６】
本発明の実施例において、前記特徴シーケンスはさらに前記基地局と前記端末との同期に用いられてもよい。
【００８７】
本発明の実施例において、前記基地局が端末へ前記リソース指示チャネルを送信するＳ２２０は、
前記基地局がシステムによって予め設定された変調方式を使用して前記リソース指示チャネルを変調した後、前記端末へ前記リソース指示チャネルを送信することを含むことができる。
【００８８】
本発明の実施例において、前記リソース指示チャネルは前記リソース指示チャネルが前記セルの最後のリソース指示チャネルであることを示すための情報を含むことができる。
【００８９】
本発明の実施例において、前記リソース指示チャネルは前記セルにおける次のリソース指示チャネルを示すための時間範囲と周波数範囲を含むことができる。
【００９０】
本発明の実施例において、前記セルは複数のリソース指示チャネルに対応する複数の第一の時間周波数リソースを含むことができ、前記複数の第一の時間周波数リソースに対応する時間範囲及び／又は周波数範囲は完全に同じではない。
【００９１】
本発明の実施例において、前記通信パラメータは、前記第一の時間周波数リソースのための多元接続技術、前記第一の時間周波数リソースのための複信モード、前記第一の時間周波数リソースのための通信モード、前記第一の時間周波数リソースのための多元接続技術に対応する基本物理層パラメータのうちの少なくとも一つを含むことができる。
【００９２】
本発明の実施例において、前記通信パラメータはセル識別ＩＤを含むことができる。
【００９３】
本発明の実施例において、前記通信パラメータは前記第一の時間周波数リソースに含まれる制御チャネル情報を含むことができる。
【００９４】
本発明の実施例において、前記制御チャネル情報は、ブロードキャストチャネルＢＣＨ情報、マスター情報ブロックＭＩＢ情報、ページングチャネルＰＣＨ、ダウンリンク共通制御チャネル情報、ダウンリンク専用制御チャネル情報、自己完結型モード情報、アップリンクランダムアクセスチャネル情報とアップリンク制御チャネル情報のうちの少なくとも一つを含むことができる。
【００９５】
本発明の実施例において、前記リソース指示チャネルは前記第一の時間周波数リソースが使用されないことを示すことに用いられてもよい。
【００９６】
方法２００のプロセスは方法１００の対応するプロセスと同じであると理解されてもよく、そのためここで説明を省略する。
【００９７】
以下に端末から本発明の実施例におけるリソース指示方法３００を説明する。方法１００に対応して、図５に示すように、方法３００は、Ｓ３１０及びＳ３２０を含む。
【００９８】
Ｓ３１０において、端末が基地局から送信されたリソース指示チャネルを受信し、前記リソース指示チャネルが第一の時間周波数リソースと前記第一の時間周波数リソースを使用する場合の通信パラメータを示すことに用いられ、前記リソース指示チャネルが第二の時間周波数リソースを占有し、少なくとも一つの前記リソース指示チャネルに対応する少なくとも一つの時間周波数リソースがセルを構成する。
【００９９】
Ｓ３２０において、前記端末が前記リソース指示チャネルに基づき、第一の時間周波数リソースと前記第一の時間周波数リソースを使用する場合の通信パラメータを確定する。
【０１００】
本発明の実施例におけるリソース指示方法では、端末が基地局から送信されたリソース指示チャネルを受信し、リソース指示チャネルに基づいて時間周波数リソースと該時間周波数リソースを使用する場合の通信パラメータを確定し、少なくとも一つのリソース指示チャネルに対応する少なくとも一つの時間周波数リソースがセルを構成し、これにより、リソース割り当て及び指示の柔軟性を向上させることができ、無線通信システムの性能と適用性を高めることができる。
【０１０１】
本発明の実施例において、前記リソース指示チャネルにガードバンドが設定されてもよい。
【０１０２】
本発明の実施例において、前記端末が基地局から送信されたリソース指示チャネルを受信するＳ３１０は、
前記端末がシングルキャリア方式を使用して前記基地局から送信された前記リソース指示チャネルを受信することを含むことができる。
【０１０３】
本発明の実施例において、前記端末が基地局から送信されたリソース指示チャネルを受信するＳ３１０は、
前記端末が、前記基地局がマルチアンテナ送信ダイバーシティにより送信した前記リソース指示チャネルを受信することを含むことができる。
【０１０４】
本発明の実施例において、前記第二の時間周波数リソースは少なくとも一つの時間周波数ユニットを含むことができ、前記少なくとも一つの時間周波数ユニットのうちの第一の時間周波数ユニットに対応する時間範囲がシステムによって設定された時間であり、前記第一の時間周波数ユニットに対応する周波数範囲がシステムによって設定された周波数ラスタであり、前記第一の時間周波数ユニットは、前記リソース指示チャネルが前記第二の時間周波数リソースを拡張して占有することを示すための情報を含む。
【０１０５】
本発明の実施例において、前記リソース指示チャネルは特徴シーケンスを含むことができ、前記特徴シーケンスは現在のチャネルがリソース指示チャネルであることを示すことに用いられる。
【０１０６】
本発明の実施例において、前記方法３００は、
前記端末が前記特徴シーケンスに基づいて前記基地局と同期することをさらに含むことができる。
【０１０７】
本発明の実施例において、前記端末が前記リソース指示チャネルに基づき、第一の時間周波数リソースと前記第一の時間周波数リソースを使用する場合の通信パラメータを確定するＳ３２０の前に、前記方法３００は、
前記端末がシステムによって予め設定された変調方式を使用して前記リソース指示チャネルを復調することをさらに含むことができる。
【０１０８】
本発明の実施例において、前記リソース指示チャネルは前記リソース指示チャネルが前記セルの最後のリソース指示チャネルであることを示すための情報を含むことができる。
【０１０９】
本発明の実施例において、前記リソース指示チャネルは前記セルにおける次のリソース指示チャネルを示すための時間範囲と周波数範囲を含むことができる。
【０１１０】
本発明の実施例において、前記セルは複数のリソース指示チャネルに対応する複数の時間周波数リソースを含むことができ、前記複数の時間周波数リソースに対応する時間範囲及び／又は周波数範囲は完全に同じではない。
【０１１１】
本発明の実施例において、前記通信パラメータは、前記第一の時間周波数リソースのための多元接続技術、前記第一の時間周波数リソースのための複信モード、前記第一の時間周波数リソースのための通信モード、前記第一の時間周波数リソースのための多元接続技術に対応する基本物理層パラメータのうちの少なくとも一つを含むことができる。
【０１１２】
本発明の実施例において、前記通信パラメータはセル識別ＩＤを含むことができる。
【０１１３】
本発明の実施例において、前記通信パラメータは、前記第一の時間周波数リソースに含まれる制御チャネル情報を含むことができる。
【０１１４】
本発明の実施例において、前記制御チャネル情報は、ブロードキャストチャネルＢＣＨ情報、マスター情報ブロックＭＩＢ情報、ページングチャネルＰＣＨ、ダウンリンク共通制御チャネル情報、ダウンリンク専用制御チャネル情報、自己完結型モード情報、アップリンクランダムアクセスチャネル情報とアップリンク制御チャネル情報のうちの少なくとも一つを含むことができる。
【０１１５】
本発明の実施例において、前記リソース指示チャネルは前記第一の時間周波数リソースが使用されないことを示すことに用いられてもよい。
【０１１６】
方法３００のプロセスは方法１００の対応するプロセスと同じであると理解されてもよく、そのためここで説明を省略する。
【０１１７】
理解すべきものとして、本発明の様々な実施例において、上記各プロセスの番号の大きさは実行順番を意味するものではなく、各プロセスの実行順番はその機能と内部ロジックによって確定されるべきであるが、本発明の実施形態の実施プロセスに対していかなる限定を構成するものではない。
【０１１８】
以上に本発明の実施例におけるリソース指示方法が詳細に説明され、以下に本発明の実施例における基地局と端末を説明する。
【０１１９】
図６は本発明の一つの実施例における基地局４００の模式的なブロック図である。該基地局４００は、
リソース指示チャネルを生成するように構成され、前記リソース指示チャネルが第一の時間周波数リソースと前記第一の時間周波数リソースを使用する場合の通信パラメータを示すことに用いられ、前記リソース指示チャネルが第二の時間周波数リソースを占有し、少なくとも一つの前記リソース指示チャネルに対応する少なくとも一つの第一の時間周波数リソースがセルを構成する生成モジュール４１０と、
端末へ前記生成モジュール４１０により生成された前記リソース指示チャネルを送信するように構成される送信モジュール４２０とを含む。
【０１２０】
本発明の実施例における基地局では、リソース指示チャネルを生成して送信し、その中のリソース指示チャネルが時間周波数リソースと該時間周波数リソースを使用する場合の通信パラメータを示すことに用いられ、少なくとも一つのリソース指示チャネルに対応する少なくとも一つの時間周波数リソースがセルを構成し、これにより、リソース割り当て及び指示の柔軟性を向上させ、無線通信システムの性能と適用性を高めることができる。
【０１２１】
また、本発明の実施例において、前記第二の時間周波数リソースに占有された時間周波数範囲は第一の時間周波数リソースに占有された時間周波数範囲にあることができる。
【０１２２】
また、本発明の実施例において、前記第二の時間周波数リソースは少なくとも一つの時間周波数ユニットを含むことができ、前記少なくとも一つの時間周波数ユニットのうちの第一の時間周波数ユニットに対応する時間範囲がシステムによって設定された時間であり、前記第一の時間周波数ユニットに対応する周波数範囲がシステムによって設定された周波数ラスタであり、前記第二の時間周波数リソースが複数の時間周波数ユニットを含む場合、前記第一の時間周波数ユニットは、前記リソース指示チャネルが前記第二の時間周波数リソースを拡張して占有することを示すための情報を含む。
【０１２３】
また、本発明の実施例において、前記通信パラメータは、前記第一の時間周波数リソースのための多元接続技術、前記第一の時間周波数リソースのための複信モード、前記第一の時間周波数リソースのための通信モード、前記第一の時間周波数リソースのための多元接続技術に対応する基本物理層パラメータのうちの少なくとも一つを含むことができる。
【０１２４】
また、本発明の実施例において、前記通信パラメータはセル識別子ＩＤを含むことができる。
【０１２５】
また、本発明の実施例において、前記通信パラメータは、前記第一の時間周波数リソースに含まれる制御チャネル情報を含むことができる。
【０１２６】
また、本発明の実施例において、前記制御チャネル情報は、ブロードキャストチャネルＢＣＨ情報、マスター情報ブロックＭＩＢ情報、ページングチャネルＰＣＨ、ダウンリンク共通制御チャネル情報、ダウンリンク専用制御チャネル情報、自己完結型モード情報、アップリンクランダムアクセスチャネル情報とアップリンク制御チャネル情報のうちの少なくとも一つを含むことができる。
【０１２７】
また、本発明の実施例において、前記リソース指示チャネルは特徴シーケンスを含むことができ、前記特徴シーケンスは現在のチャネルがリソース指示チャネルであることを示すことに用いられる。
【０１２８】
また、本発明の実施例において、前記特徴シーケンスはさらに前記基地局と前記端末との同期に用いられてもよい。
【０１２９】
また、本発明の実施例において、前記送信モジュール４２０は具体的に、
システムによって予め設定された変調方式を使用して前記リソース指示チャネルを変調した後、前記端末へ前記リソース指示チャネルを送信するように構成されてもよい。
【０１３０】
また、本発明の実施例において、前記送信モジュール４２０は具体的に、
前記リソース指示チャネルに対してマルチアンテナ送信ダイバーシティを行った後、前記端末へ前記リソース指示チャネルを送信するように構成されてもよい。
【０１３１】
また、本発明の実施例において、前記送信モジュール４２０は具体的に、
シングルキャリア方式を使用して前記端末へ前記リソース指示チャネルを送信するように構成されてもよい。
【０１３２】
また、本発明の実施例において、前記リソース指示チャネルは、前記リソース指示チャネルが前記セルの最後のリソース指示チャネルであることを示すための情報を含むことができる。
【０１３３】
また、本発明の実施例において、前記リソース指示チャネルは、前記セルにおける次のリソース指示チャネルを示すための時間範囲と周波数範囲を含むことができる。
【０１３４】
また、本発明の実施例において、前記セルは複数のリソース指示チャネルに対応する複数の第一の時間周波数リソースを含むことができ、前記複数の第一の時間周波数リソースに対応する時間範囲及び／又は周波数範囲は完全に同じではない。
【０１３５】
また、本発明の実施例において、前記リソース指示チャネルは前記第一の時間周波数リソースが使用されないことを示すことに用いられてもよい。
【０１３６】
また、本発明の実施例において、前記基地局４００は、
前記送信モジュールが端末へ前記リソース指示チャネルを送信する前に、前記リソース指示チャネルのためにガードバンドを設定するように構成される処理モジュール４３０をさらに含むことができる。
【０１３７】
本発明の実施例における基地局では、リソース指示チャネルを生成して送信し、その中のリソース指示チャネルが時間周波数リソースと該時間周波数リソースを使用する場合の通信パラメータを示すことに用いられ、少なくとも一つのリソース指示チャネルに対応する少なくとも一つの時間周波数リソースがセルを構成し、これにより、リソース割り当て及び指示の柔軟性を向上させる、無線通信システムの性能と適用性を高めることができる。
【０１３８】
注意すべきものとして、本発明の実施例において、生成モジュール４１０と処理モジュール４３０はプロセッサによって実現されてもよく、送信モジュール４２０は送受信機によって実現されてもよい。図７に示すように、基地局５００はプロセッサ５１０、受信機５２０とメモリ５３０を含むことができる。その中、メモリ５３０はプロセッサ５１０で実行されるコードなどを記憶することに用いられてもよい。
【０１３９】
基地局５００の各部材はバスシステム５４０を介して結合され、バスシステム５４０はデータバスに加えて、電源バス、制御バスと状態信号バスを含む。
【０１４０】
図６に示す基地局４００又は図７に示す基地局５００は前記図１〜図６の実施例において実現される各プロセスを実現することができるため、繰り返しを回避するために、ここでは説明を省略する。
【０１４１】
注意すべきものとして、本発明の上記方法の実施例はプロセッサに応用されてもよく、又はプロセッサによって実現されてもよい。プロセッサは集積回路チップであってもよく、信号処理機能を備える。実現プロセスにおいて、上記方法の実施例における各ステップはプロセッサにおけるハードウェアの集積ロジック回路又はソフトウェア形態のコマンドにより完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェア部材であってもよい。本発明の実施例において開示される各方法、ステップ及びロジックブロック図を実現又は実行することができる。汎用プロセッサはマイクロプロセッサであってもよい又は該プロセッサはいずれかの従来のプロセッサなどであってもよい。本発明の実施例と組み合わせて開示された方法のステップはハードウェア復号プロセッサによって実行されて完了され、又は復号プロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完了する。
【０１４２】
本発明の実施例におけるメモリは揮発性記憶装置又は不揮発性記憶装置であってもよく、又は揮発性記憶装置及び不揮発性記憶装置両者を含むことができることが理解できる。その中、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきものとして、本明細書に記載のシステムと方法のメモリはこれらといずれかの他の適切なタイプのメモリを含むことを図るがこれらに限定されない。
【０１４３】
図８は本発明の一つの実施例における端末６００の模式的なブロック図である。該端末６００は、
基地局から送信されたリソース指示チャネルを受信するように構成され、前記リソース指示チャネルが第一の時間周波数リソースと前記第一の時間周波数リソースを使用する場合の通信パラメータを示すことに用いられ、前記リソース指示チャネルが第二の時間周波数リソースを占有し、少なくとも一つの前記リソース指示チャネルに対応する少なくとも一つの時間周波数リソースがセルを構成する受信モジュール６１０と、
前記受信モジュール６１０により受信された前記リソース指示チャネルに基づき、第一の時間周波数リソースと前記第一の時間周波数リソースを使用する場合の通信パラメータを確定するように構成される処理モジュール６２０とを含む。
【０１４４】
本発明の実施例における端末では、基地局から送信されたリソース指示チャネルを受信し、且つリソース指示チャネルに基づいて時間周波数リソースと該時間周波数リソースを使用する場合の通信パラメータを確定し、少なくとも一つのリソース指示チャネルに対応する少なくとも一つの時間周波数リソースがセルを構成し、これにより、リソース割り当て及び指示の柔軟性を向上させ、無線通信システムの性能と適用性を高めることができる。
【０１４５】
また、本発明の実施例において、前記第二の時間周波数リソースに占有された時間周波数範囲は前記第一の時間周波数リソースに占有された時間周波数範囲内にあることができる。
【０１４６】
また、本発明の実施例において、前記第二の時間周波数リソースは少なくとも一つの時間周波数ユニットを含むことができ、前記少なくとも一つの時間周波数ユニットのうちの第一の時間周波数ユニットに対応する時間範囲がシステムによって設定された時間であり、前記第一の時間周波数ユニットに対応する周波数範囲がシステムによって設定された周波数ラスタであり、前記第一の時間周波数ユニットは、前記リソース指示チャネルが前記第二の時間周波数リソースを拡張して占有することを示すための情報を含む。
【０１４７】
また、本発明の実施例において、前記通信パラメータは、前記第一の時間周波数リソースのための多元接続技術、前記第一の時間周波数リソースのための複信モード、前記第一の時間周波数リソースのための通信モード、前記第一の時間周波数リソースのための多元接続技術に対応する基本物理層パラメータのうちの少なくとも一つを含むことができる。
【０１４８】
また、本発明の実施例において、前記通信パラメータはセル識別子ＩＤを含むことができる。
【０１４９】
また、本発明の実施例において、前記通信パラメータは、前記第一の時間周波数リソースに含まれる制御チャネル情報を含むことができる。
【０１５０】
また、本発明の実施例において、前記制御チャネル情報は、ブロードキャストチャネルＢＣＨ情報、マスター情報ブロックＭＩＢ情報、ページングチャネルＰＣＨ、ダウンリンク共通制御チャネル情報、ダウンリンク専用制御チャネル情報、自己完結型モード情報、アップリンクランダムアクセスチャネル情報とアップリンク制御チャネル情報のうちの少なくとも一つを含むことができる。
【０１５１】
また、本発明の実施例において、前記リソース指示チャネルは特徴シーケンスを含むことができ、前記特徴シーケンスは現在のチャネルがリソース指示チャネルであることを示すことに用いられる。
【０１５２】
また、本発明の実施例において、前記処理モジュール６２０はさらに、
前記特徴シーケンスに基づいて前記基地局と同期するように構成されてもよい。
【０１５３】
また、本発明の実施例において、前記処理モジュール６２０はさらに、
前記リソース指示チャネルに基づき、第一の時間周波数リソースと前記第一の時間周波数リソースを使用する場合の通信パラメータを確定する前に、システムによって予め設定された変調方式を使用して前記リソース指示チャネルを復調するように構成されてもよい。
【０１５４】
また、本発明の実施例において、前記受信モジュール６１０は具体的に、
シングルキャリア方式を使用して前記基地局から送信された前記リソース指示チャネルを受信するように構成されてもよい。
【０１５５】
また、本発明の実施例において、前記受信モジュール６１０は具体的に、
前記基地局がマルチアンテナ送信ダイバーシティにより送信した前記リソース指示チャネルを受信するように構成されてもよい。
【０１５６】
また、本発明の実施例において、前記リソース指示チャネルは前記リソース指示チャネルが前記セルの最後のリソース指示チャネルであることを示すための情報を含むことができる。
【０１５７】
また、本発明の実施例において、前記リソース指示チャネルは前記セルにおける次のリソース指示チャネルを示すための時間範囲と周波数範囲を含むことができる。
【０１５８】
また、本発明の実施例において、前記セルは複数のリソース指示チャネルに対応する複数の時間周波数リソースを含むことができ、前記複数の時間周波数リソースに対応する時間範囲及び／又は周波数範囲は完全に同じではない。
【０１５９】
また、本発明の実施例において、前記リソース指示チャネルは前記第一の時間周波数リソースが使用されないことを示すことに用いられてもよい。
【０１６０】
また、本発明の実施例において、前記リソース指示チャネルにガードバンドが設定されてもよい。
【０１６１】
本発明の実施例における端末では、基地局から送信されたリソース指示チャネルを受信し、且つリソース指示チャネルに基づいて時間周波数リソースと該時間周波数リソースを使用する場合の通信パラメータを確定し、少なくとも一つのリソース指示チャネルに対応する少なくとも一つの時間周波数リソースがセルを構成し、これにより、リソース割り当て及び指示の柔軟性を向上させ、無線通信システムの性能と適用性を高めることができる。
【０１６２】
注意すべきものとして、本発明の実施例において、処理モジュール６２０はプロセッサによって実現されてもよく、受信モジュール６１０は送受信機によって実現されてもよい。図９に示すように、端末７００はプロセッサ７１０、送受信機７２０とメモリ７３０を含むことができる。その中、メモリ７３０はプロセッサ７１０で実行されるコードなどを記憶することに用いられてもよい。
【０１６３】
端末７００の各部材はバスシステム７４０を介して結合され、バスシステム７４０はデータバスに加えて、電源バス、制御バスと状態信号バスを含む。
【０１６４】
８に示す端末６００又は図９に示す端末７００は前記図１〜図６の実施例において実現される各プロセスを実現することができるため、繰り返しを回避するために、ここでは説明を省略する。
【０１６５】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計約束条件に依存する。専門技術者は各特定のアプリケーションに対して異なる方法を使用して説明された機能を実現することができるが、このような実現は本発明の範囲を超えていると考えられるべきではない。
【０１６６】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０１６７】
本発明が提供するいくつかの実施例では、開示されたシステム、装置および方法は他の方式により実現されてもよいと理解すべきである。上述した装置の実施例は例示的なものだけであり、例えば、前記ユニットの区分はロジック機能的区分だけであり、実際に実施する時に他の区分方式もあり得て、例えば複数のユニットまたは部材は組み合わせられてもよいまたは別のシステムに統合されてもよく、又はいくつかの特徴は無視されてもよく、又は実行されなくてもよい。また、示されるまたは議論される相互結合又は直接結合又は通信接続はいくつかのインターフェース、装置又はユニットを介する間接的結合又は通信接続であってもよく、電気的、機械的又は他の形態であってもよい。
【０１６８】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、すなわち一つの箇所に位置してもよく、又は複数のネットワークユニットに分布してもよい。実際のニーズに応じてその中の一部または全てのユニットを選択して本実施例の解決策の目的を達成することができる。
【０１６９】
また、本発明の各実施例における各機能ユニットは一つの処理ユニットに統合されてもよく、個々のユニットは単独で物理的に存在してもよく、二つまたは二つ以上のユニットは一つのユニットに統合されてもよい。
【０１７０】
前記機能はソフトウェア機能ユニットの形態で実現され且つ独立した製品として販売または使用される場合，一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一台のコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１７１】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【図１】
2018537873.tif 000003
【図２Ａ】
2018537873.tif 000004
【図２Ｂ】
2018537873.tif 000005
【図２Ｃ】
2018537873.tif 000006
【図２Ｄ】
2018537873.tif 000007
【図２Ｅ】
2018537873.tif 000008
【図２Ｆ】
2018537873.tif 000009
【図２Ｇ】
2018537873.tif 000010
【図２Ｈ】
2018537873.tif 000011
【図２Ｉ】
2018537873.tif 000012
【図３】
2018537873.tif 000013
【図４】
2018537873.tif 000014
【図５】
2018537873.tif 000015
【図６】
2018537873.tif 000016
【図７】
2018537873.tif 000017
【図８】
2018537873.tif 000018
【図９】
2018537873.tif 000019
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
リソース指示方法であって、
端末が基地局から送信されたリソース指示を受信し、前記リソース指示が第一の時間周波数リソースと前記第一の時間周波数リソースを使用する場合の通信パラメータを示すことに用いられ、前記リソース指示が第二の時間周波数リソースを占有し、少なくとも一つの前記リソース指示に対応する少なくとも一つの時間周波数リソースがセルを構成することと、
前記端末が前記リソース指示に基づき、第一の時間周波数リソースと前記第一の時間周波数リソースを使用する場合の通信パラメータを確定することとを含む、前記リソース指示方法。
【請求項２】
前記第二の時間周波数リソースに占有された時間周波数範囲は第一の時間周波数リソースに占有された時間周波数範囲にあることを特徴とする
請求項１に記載の方法。
【請求項３】
前記第二の時間周波数リソースは少なくとも一つの時間周波数ユニットを含み、前記少なくとも一つの時間周波数ユニットのうちの第一の時間周波数ユニットに対応する時間範囲が予め設定された時間であり、前記第一の時間周波数ユニットに対応する周波数範囲が予め設定された周波数ラスタであり、前記第一の時間周波数ユニットは、前記リソース指示が前記第二の時間周波数リソースを拡張して占有することを示すための情報を含むことを特徴とする
請求項１又は２に記載の方法。
【請求項４】
前記通信パラメータは、前記第一の時間周波数リソースのための多元接続技術、前記第一の時間周波数リソースのための複信モード、前記第一の時間周波数リソースのための通信モード、前記第一の時間周波数リソースのための多元接続技術に対応する基本物理層パラメータのうちの少なくとも一つを含むことを特徴とする
請求項１〜３のいずれか１項に記載の方法。
【請求項５】
前記リソース指示は特徴シーケンスを含み、前記特徴シーケンスは現在の指示がリソース指示であることを示すことに用いられることを特徴とする
請求項１〜４のいずれか１項に記載の方法。
【請求項６】
前記方法は、
前記端末が前記特徴シーケンスに基づいて前記基地局と同期することをさらに含むことを特徴とする
請求項５に記載の方法。
【請求項７】
前記端末が基地局から送信されたリソース指示を受信することは、
前記端末がシングルキャリア方式を使用して前記基地局から送信された前記リソース指示を受信することを含むことを特徴とする
請求項１〜６のいずれか１項に記載の方法。
【請求項８】
前記端末が基地局から送信されたリソース指示を受信することは、
前記端末が、前記基地局がマルチアンテナ送信ダイバーシティにより送信した前記リソース指示を受信することを含むことを特徴とする
請求項１〜７のいずれか１項に記載の方法。
【請求項９】
前記リソース指示は、前記リソース指示が前記セルの最後のリソース指示であることを示すための情報を含むことを特徴とする
請求項１〜８のいずれか１項に記載の方法。
【請求項１０】
前記リソース指示は、前記セルにおける次のリソース指示を示すための時間範囲と周波数範囲を含むことを特徴とする
請求項１〜８のいずれか１項に記載の方法。
【請求項１１】
前記セルは、複数のリソース指示に対応する複数の時間周波数リソースを含み、前記複数の時間周波数リソースに対応する時間範囲及び／又は周波数範囲が完全に同じではないことを特徴とする
請求項１〜１０のいずれか１項に記載の方法。
【請求項１２】
前記リソース指示は、前記第一の時間周波数リソースが使用されないことを示すことに用いられることを特徴とする
請求項１〜１１のいずれか１項に記載の方法。
【請求項１３】
端末であって、
基地局から送信されたリソース指示を受信するように構成され、前記リソース指示が第一の時間周波数リソースと前記第一の時間周波数リソースを使用する場合の通信パラメータを示すことに用いられ、前記リソース指示が第二の時間周波数リソースを占有し、少なくとも一つの前記リソース指示に対応する少なくとも一つの時間周波数リソースがセルを構成する受信モジュールと、
前記受信モジュールにより受信された前記リソース指示に基づき、第一の時間周波数リソースと前記第一の時間周波数リソースを使用する場合の通信パラメータを確定するように構成される処理モジュールとを含む、前記端末。
【請求項１４】
リソース指示方法であって、
基地局がリソース指示を生成し、前記リソース指示が第一の時間周波数リソースと前記第一の時間周波数リソースを使用する場合の通信パラメータを示すことに用いられ、前記リソース指示が第二の時間周波数リソースを占有し、少なくとも一つの前記リソース指示に対応する少なくとも一つの第一の時間周波数リソースがセルを構成することと、
前記基地局が端末へ前記リソース指示を送信することとを含む、前記リソース指示方法。
【請求項１５】
前記第二の時間周波数リソースに占有された時間周波数範囲は前記第一の時間周波数リソースに占有された時間周波数範囲内にあることを特徴とする
請求項１４に記載の方法。
【国際調査報告】
2018537873.tif 000020
2018537873.tif 000021
2018537873.tif 000022
2018537873.tif 000023